(57)【要約】      （修正有）【課題】適切に、ＦＤＤ方式のキャリア及びＴＤＤ方式のキャリアを用いたＣＡ（キャリアアグリゲーション）を行う。【解決手段】無線基地局ｅＮＢは、ＦＤＤ方式のキャリアｆ１及びＴＤＤ方式のキャリアｆ１０を用いてＣＡを行う場合に、該ＦＤＤ方式のキャリアｆ１をＰＣＣ（プライマリキャリア）とし、該ＴＤＤ方式のキャリアｆ１０をＳＣＣ（セカンダリキャリア）とする。【選択図】図４
2013243482.tif 000002
【特許請求の範囲】
【請求項１】
ＦＤＤ方式のキャリア及びＴＤＤ方式のキャリアを用いてキャリアアグリゲーションを行う場合に、該ＦＤＤ方式のキャリアをプライマリキャリアとし、該ＴＤＤ方式のキャリアをセカンダリキャリアとするように構成されている制御部を具備することを特徴とする無線基地局。
【請求項２】
前記プライマリキャリアにおけるサービングセルであるプライマリセルにおけるＰＵＣＣＨを介して、前記セカンダリキャリアにおけるサービングセルであるセカンダリセルにおける上りリンク制御情報を受信するように構成されている受信部を具備することを特徴とする請求項１に記載の無線基地局。
【請求項３】
前記プライマリセル用の下りリンク制御情報のフォーマットを用いて、前記セカンダリセルにおけるスケジューリング情報を送信するように構成されている送信部を具備することを特徴とする請求項２に記載の無線基地局。
【請求項４】
ＦＤＤ方式のキャリア及びＴＤＤ方式のキャリアを用いてキャリアアグリゲーションを行う場合に、該ＦＤＤ方式のキャリアをプライマリキャリアとし、該ＴＤＤ方式のキャリアをセカンダリキャリアとするように構成されている制御部を具備することを特徴とする移動局。
【請求項５】
前記セカンダリキャリアにおけるサービングセルであるセカンダリセルにおける上りリンク制御情報を、前記プライマリキャリアにおけるサービングセルであるプライマリセルにおけるＰＵＣＣＨを介して送信するように構成されている送信部を具備することを特徴とする請求項４に記載の移動局。
【請求項６】
前記プライマリセル用の下りリンク制御情報のフォーマットを用いて、前記セカンダリセルにおけるスケジューリング情報を受信するように構成されている受信部を具備することを特徴とする請求項５に記載の移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、ＰＣＣ（Ｐｒｉｍａｒｙ  Ｃｏｍｐｏｎｅｎｔ  Ｃａｒｒｉｅｒ、プライマリキャリア）におけるサービングセルであるＰｃｅｌｌ（Ｐｒｉｍａｒｙ  Ｃｅｌｌ、プライマリセル）及びＳＣＣ（Ｓｅｃｏｎｄａｒｙ  Ｃｏｍｐｏｎｅｎｔ  Ｃａｒｒｉｅｒ、セカンダリキャリア）におけるサービングセルであるＳｃｅｌｌ（Ｓｅｃｏｎｄａｒｙ  Ｃｅｌｌ、セカンダリセル）を用いて、ＣＡ（Ｃａｒｒｉｅｒ  Ａｇｇｒｅｇａｔｉｏｎ、キャリアアグリゲーション）を行うことができる。
【０００３】
なお、Ｒｅｌｅａｓｅ１１までのＬＴＥ-Ａｄｖａｎｃｅｄ方式では、複数のＦＤＤ（Ｆｒｅｑｕｅｎｃｙ  Ｄｉｖｉｓｉｏｎ  Ｄｕｐｌｅｘ）方式のキャリアを用いたＣＡ、及び、複数のＴＤＤ（Ｔｉｍｅ  Ｄｉｖｉｓｉｏｎ  Ｄｕｐｌｅｘ）方式のキャリアを用いたＣＡを行うことができる。
【先行技術文献】
【非特許文献】
【０００４】
【非特許文献１】３ＧＰＰ  ＴＳ３６.３００
【非特許文献２】３ＧＰＰ  ＴＳ３６.２１１
【非特許文献３】３ＧＰＰ  ＴＳ３６.２１２
【非特許文献４】３ＧＰＰ  ＴＳ３６.２１３
【発明の概要】
【発明が解決しようとする課題】
【０００５】
これに対して、Ｒｅｌｅａｓｅ１２のＬＴＥ-Ａｄｖａｎｃｅｄ方式では、ＦＤＤ方式のキャリア及びＴＤＤ方式のキャリアを用いたＣＡを行うことについて検討されようとしている。
【０００６】
そこで、本発明は、上述の課題に鑑みてなされたものであり、適切に、ＦＤＤ方式のキャリア及びＴＤＤ方式のキャリアを用いたＣＡを行うことができる無線基地局及び移動局を提供することを目的とする。
【課題を解決するための手段】
【０００７】
本発明の第１の特徴は、無線基地局であって、ＦＤＤ方式のキャリア及びＴＤＤ方式のキャリアを用いてキャリアアグリゲーションを行う場合に、該ＦＤＤ方式のキャリアをプライマリキャリアとし、該ＴＤＤ方式のキャリアをセカンダリキャリアとするように構成されている制御部を具備することを要旨とする。
【０００８】
本発明の第２の特徴は、移動局であって、ＦＤＤ方式のキャリア及びＴＤＤ方式のキャリアを用いてキャリアアグリゲーションを行う場合に、該ＦＤＤ方式のキャリアをプライマリキャリアとし、該ＴＤＤ方式のキャリアをセカンダリキャリアとするように構成されている制御部を具備することを要旨とする。
【発明の効果】
【０００９】
以上説明したように、本発明によれば、適切に、ＦＤＤ方式のキャリア及びＴＤＤ方式のキャリアを用いたＣＡを行うことができる無線基地局及び移動局を提供することができる。
【図面の簡単な説明】
【００１０】
【図１】本発明の第１の実施形態に係る移動通信システムの全体構成図である。
【図２】本発明の第１の実施形態に係る移動通信システムの全体構成図である。
【図３】本発明の第１の実施形態に係る無線基地局の機能ブロック図である。
【図４】本発明の第１の実施形態に係る移動通信システムにおいて行われるＣＡについて説明するための図である。
【図５】本発明の第１の実施形態に係る移動局の機能ブロック図である。
【発明を実施するための形態】
【００１１】
（本発明の第１の実施形態に係る移動通信システム）
図１乃至図５を参照して、本発明の第１の実施形態に係る移動通信システムについて説明する。
【００１２】
本実施形態に係る移動通信システムは、ＬＴＥ-Ａｄｖａｎｃｅｄ方式をサポートするものであって、Ｐｃｅｌｌ及びＳｃｅｌｌを用いてＣＡを行うことができるように構成されている。
【００１３】
具体的には、図１及び図２に示すように、本実施形態に係る移動通信システムは、ＦＤＤ方式のキャリアｆ１及びＴＤＤ方式のキャリアｆ１０を用いたＣＡを行うことができるように構成されている。
【００１４】
ここで、図１に示すように、無線基地局ｅＮＢは、ＦＤＤ方式のキャリアｆ１及びＴＤＤ方式のキャリアｆ１０を管理するように構成されている。
【００１５】
図３に示すように、本実施形態に係る無線基地局ｅＮＢは、制御部１１と、送信部１２と、受信部１３とを具備している。
【００１６】
制御部１１は、無線基地局ｅＮＢにおける各種制御処理、例えば、ＣＡ制御処理やスケジューリング処理を行うように構成されている。
【００１７】
ここで、制御部１１は、ＦＤＤ方式のキャリアｆ１及びＴＤＤ方式のキャリアｆ１０を用いてＣＡを行う場合に、ＦＤＤ方式のキャリアｆ１をＰＣＣとし、ＴＤＤ方式のキャリアｆ１０をＳＣＣとするように構成されている。
【００１８】
送信部１２は、移動局ＵＥに対して、各種信号を送信するように構成されており、受信部１３は、移動局ＵＥから、各種信号を受信するように構成されている。
【００１９】
例えば、送信部１２は、Ｐｃｅｌｌ用の「ＤＣＩ（Ｄｏｗｎｌｉｎｋ  Ｃｏｎｔｒｏｌ  Ｉｎｆｏｒｍａｔｉｏｎ）  Ｆｏｒｍａｔ」を用いて、Ｓｃｅｌｌにおけるスケジューリング情報を送信するように構成されていてもよい。
【００２０】
すなわち、図４に示すように、「Ｃｒｏｓｓ  Ｃａｒｒｉｅｒ  Ｓｃｈｅｄｕｌｉｎｇ」を行う場合、送信部１２は、ＰｃｅｌｌにおけるＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を用いて、ＳｃｅｌｌにおけるＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）を介した下りデータ信号の受信を指示するためのスケジューリング情報を送信するように構成することができる。
【００２１】
ここで、ＰｃｅｌｌにおけるＰＤＣＣＨ及びＳｃｅｌｌにおけるＰＤＳＣＨは、同一のサブフレーム（ＴＴＩ：Ｔｒａｎｓｍｉｓｓｉｏｎ  Ｔｉｍｅ  Ｉｎｔｅｒｖａｌ）に割り当てることができる。
【００２２】
また、図４に示すように、「Ｃｒｏｓｓ  Ｃａｒｒｉｅｒ  Ｓｃｈｅｄｕｌｉｎｇ」を行う場合、送信部１２は、ＰｃｅｌｌにおけるＰＤＣＣＨを用いて、ＳｃｅｌｌにおけるＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）を介した上りデータ信号の送信を指示するためのスケジューリング情報を送信するように構成することができる。
【００２３】
ここで、ＰｃｅｌｌにおけるＰＤＣＣＨは、サブフレーム＃ｎに割り当てられる場合、ＳｃｅｌｌにおけるＰＵＳＣＨは、サブフレーム＃ｎ＋４に割り当てられるものとする。
【００２４】
なお、Ｐｃｅｌｌにおける送信タイミング（サブフレーム）及びＳｃｅｌｌにおける送信タイミング（サブフレーム）は、同期していることが好ましい。
【００２５】
かかる構成によれば、Ｒｅｌｅａｓｅ-１０/１１のＬＴＥ方式の仕様、例えば、既存のＰＤＣＣＨを、そのまま適用することで、ＦＤＤ方式のキャリアｆ１及びＴＤＤ方式のキャリアｆ１０を用いたＣＡを行うことができる。
【００２６】
また、受信部１３は、ＰｃｅｌｌにおけるＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して、ＳｃｅｌｌにおけるＵＣＩ（Ｕｐｌｉｎｋ  Ｃｏｎｔｒｏｌ  Ｉｎｆｏｒｍａｔｉｏｎ）を受信するように構成されていてもよい。
【００２７】
ここで、ＵＣＩには、ＣＱＩ（Ｃｈａｎｎｅｌ  Ｑｕａｌｉｔｙ  Ｉｎｄｉｃａｔｏｒ）や、下りリンク信号に対するＨＡＲＱ信号（ＡＣＫ/ＮＡＣＫ）や、ＳＲ（Ｓｃｈｅｄｕｌｉｎｇ  Ｒｅｑｕｅｓｔ）が含まれる。
【００２８】
なお、受信部１３は、ＳｃｅｌｌにおけるＰＵＳＣＨに対してＰｉｇｇｙ-Ｂａｃｋされた状態のＵＣＩを受信するように構成されていてもよい。
【００２９】
かかる構成によれば、ＴＤＤ方式のキャリアｆ１０における下りリンク及び上りリンクの送信タイミングに影響されることなく、ＦＤＤ方式のキャリアｆ１における上りリンクを介した送信を行うことができる。
【００３０】
図５に示すように、本実施形態に係る移動局ＵＥは、受信部２１と、制御部２２と、送信部２３とを具備している。
【００３１】
受信部２１は、無線基地局ｅＮＢから、各種信号を受信するように構成されており、送信部２３は、無線基地局ｅＮＢに対して、各種信号を送信するように構成されている。
【００３２】
制御部２２は、移動局ＵＥにおける各種制御処理、例えば、ＣＡ制御処理やスケジューリング処理を行うように構成されている。
【００３３】
具体的には、制御部２２は、ＦＤＤ方式のキャリアｆ１及びＴＤＤ方式のキャリアｆ１０を用いてＣＡを行う場合に、ＦＤＤ方式のキャリアｆ１をＰＣＣとし、ＴＤＤ方式のキャリアｆ１０をＳＣＣとするように構成されている。
【００３４】
例えば、受信部２１は、Ｐｃｅｌｌ用の「ＤＣＩ  Ｆｏｒｍａｔ」を用いて、Ｓｃｅｌｌにおけるスケジューリング情報を受信するように構成されている。
【００３５】
すなわち、受信部２１は、ＰｃｅｌｌにおけるＰＤＣＣＨを介して、ＳｃｅｌｌにおけるＰＵＳＣＨを介した上りデータ信号の送信を指示するためのスケジューリング情報や、ＳｃｅｌｌにおけるＰＤＳＣＨを介した下りデータ信号の受信を指示するためのスケジューリング情報を受信するように構成されている。
【００３６】
また、送信部２３は、ＳｃｅｌｌにおけるＵＣＩを、ＰｃｅｌｌにおけるＰＵＣＣＨを介して送信するように構成されている。
【００３７】
ここで、送信部２３は、かかるＵＣＩについて、ＳｃｅｌｌにおけるＰＵＳＣＨに対してＰｉｇｇｙ-Ｂａｃｋすることによって送信するように構成されていてもよい。
【００３８】
本実施形態に係る発明によれば、既存のＲｅｌｅａｓｅ-１０/１１のＬＴＥ方式の仕様に対する変更を最小限しつつ、適切に、ＦＤＤ方式のキャリアｆ１及びＴＤＤ方式のキャリアｆ１０を用いたＣＡを行うことができる。
【００３９】
以上に述べた本実施形態の特徴は、以下のように表現されていてもよい。
【００４０】
本実施形態の第１の特徴は、無線基地局ｅＮＢであって、ＦＤＤ方式のキャリアｆ１及びＴＤＤ方式のキャリアｆ１０を用いてＣＡを行う場合に、ＦＤＤ方式のキャリアｆ１をＰＣＣ（プライマリキャリア）とし、ＴＤＤ方式のキャリアｆ１０をＳＣＣ（セカンダリキャリア）とするように構成されている制御部１１を具備することを要旨とする。
【００４１】
本実施形態の第１の特徴において、ＰＣＣにおけるサービングセルであるＰｃｅｌｌ（プライマリセル）におけるＰＵＣＣＨを介して、ＳＣＣにおけるサービングセルであるＳｃｅｌｌ（セカンダリセル）におけるＵＣＩ（上りリンク制御情報）を受信するように構成されている受信部１３を具備してもよい。
【００４２】
本実施形態の第１の特徴において、Ｐｃｅｌｌ用の「ＤＣＩ  Ｆｏｒｍａｔ（下りリンク制御情報のフォーマット）」を用いて、Ｓｃｅｌｌにおけるスケジューリング情報を送信するように構成されている送信部１２を具備してもよい。
【００４３】
本実施形態の第２の特徴は、移動局ＵＥであって、ＦＤＤ方式のキャリアｆ１及びＴＤＤ方式のキャリアｆ１０を用いてＣＡを行う場合に、ＦＤＤ方式のキャリアｆ１をＰＣＣとし、ＴＤＤ方式のキャリアｆ１０をＳＣＣとするように構成されている制御部２２を具備することを要旨とする。
【００４４】
本実施形態の第２の特徴において、ＳｃｅｌｌにおけるＵＣＩを、ＰｃｅｌｌにおけるＰＵＣＣＨを介して送信するように構成されている送信部２３を具備してもよい。
【００４５】
本実施形態の第２の特徴において、Ｐｃｅｌｌ用の「ＤＣＩ  Ｆｏｒｍａｔ」を用いて、Ｓｃｅｌｌにおけるスケジューリング情報を受信するように構成されている受信部２１を具備してもよい。
【００４６】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００４７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００４９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５０】
ＵＥ…移動局
ｅＮＢ…無線基地局
１１、２２…制御部
１２、２３…送信部
１３、２１…受信部
【図１】
2013243482.tif 000003
【図２】
2013243482.tif 000004
【図３】
2013243482.tif 000005
【図４】
2013243482.tif 000006
【図５】
2013243482.tif 000007